(57)【要約】【課題】レスキュー配線を利用した映像信号線の修復に起因して輝度ムラが生じるのを防止する。【解決手段】本発明の液晶表示装置は、各々のレスキュー配線ＲＬにおいて、１水平周期Ｔと、末端配線ＲＬ２の平均幅Ｗと、末端配線ＲＬ２の長さＬと、末端配線ＲＬ２のシート抵抗Ｒ0と、末端配線ＲＬ２の単位面積当りの配線容量Ｃ0と、映像信号線ＶＬの抵抗ＲLと、映像信号線ＶＬの配線容量ＣLと、映像信号線ＶＬ及びこれと映像信号線ドライバＸＤＲとを接続している配線のうち映像信号線ドライバＸＤＲから映像信号線ＶＬと末端配線ＲＬ１との交差部までの部分の抵抗と、末端配線ＲＬ１のうち上記交差部から中間配線ＲＬ３との接続部までの部分の抵抗と、中間配線ＲＬ３の抵抗との和Ｒiとは、下記不等式に示す関係を満足していることを特徴とする。  【数１】2007047277.tif 000022【選択図】      図１
2007047277.tif 000002
【特許請求の範囲】
【請求項１】
複数の映像信号線と、これらと交差した複数の走査信号線と、前記映像信号線と前記走査信号線との交差部に対応して配置された複数の画素と、前記複数の映像信号線の少なくとも１つの一端及び他端と絶縁層を挟んでそれぞれ交差した第１及び第２末端配線を各々が含んだ複数の配線対とを備えたアクティブマトリクス型の液晶表示パネルと、
少なくとも部分的に前記液晶表示パネルの外側に配置されると共に各々が前記第１及び第２末端配線を互いに接続した複数の中間配線と、
前記複数の映像信号線の前記第１末端配線側の端に接続された映像信号線ドライバとを具備し、
前記複数の配線対の各々において、１水平周期Ｔと、前記第２末端配線の平均幅Ｗと、前記第２末端配線の長さＬと、前記第２末端配線のシート抵抗Ｒ0と、前記第２末端配線の単位面積当りの配線容量Ｃ0と、前記映像信号線の抵抗ＲLと、前記映像信号線の配線容量ＣLと、前記映像信号線及びこれと前記映像信号線ドライバとを接続している配線のうち前記映像信号線ドライバから前記映像信号線と前記第１末端配線との交差部までの部分の抵抗と、前記第１末端配線のうち前記交差部から前記中間配線との接続部までの部分の抵抗と、前記中間配線の抵抗との和Ｒiとは、下記不等式に示す関係を満足していることを特徴とする液晶表示装置。
【数１】
2007047277.tif 000021
【請求項２】
前記第２末端配線は、前記第１末端配線と比較して平均幅がより小さいことを特徴とする請求項１に記載の液晶表示装置。
【請求項３】
黒挿入駆動を行うことを特徴とする請求項１に記載の液晶表示装置。
【発明の詳細な説明】
【技術分野】
【０００１】
本発明は、液晶表示装置に係り、特にはレスキュー配線を含んだアクティブマトリクス型の液晶表示装置に関する。
【背景技術】
【０００２】
アクティブマトリクス型の液晶表示装置では、映像信号線が断線していると、一部の画素回路に映像信号を書き込むことができない。断線した映像信号線は、以下のレスキュー配線を利用することにより修復することができる。
【０００３】
レスキュー配線は、少なくとも両端がアレイ基板に形成された配線である。各レスキュー配線は、その一端及び他端が絶縁層を介して１つ以上の映像信号線の一端及び他端とそれぞれ交差するように、周辺領域に配置する。
【０００４】
断線が見つかった場合には、断線した映像信号線とレスキュー配線との２つの交差部にレーザビームを照射する。こうすると、その映像信号線の両端をレスキュー配線と電気的に接続することができ、したがって、映像信号線に接続された画素回路への映像信号の書き込みが可能となる。
【０００５】
このように、レスキュー配線を利用すると、断線した映像信号線を修復することができるので、歩留まりを向上させることができる。しかしながら、本発明者らは、本発明を為すに際し、特に画面の寸法が大きい場合や表示モードとしてＯＣＢ（optically compensated birefringence）モードを採用した場合、断線した映像信号線をレスキュー配線を用いて修復すると、先の映像信号線に対応した位置に輝度ムラを生じ得ることを見出している。
【発明の開示】
【発明が解決しようとする課題】
【０００６】
本発明の目的は、レスキュー配線を利用した映像信号線の修復に起因して輝度ムラが生じるのを防止することにある。
【課題を解決するための手段】
【０００７】
本発明の一側面によると、複数の映像信号線と、これらと交差した複数の走査信号線と、前記映像信号線と前記走査信号線との交差部に対応して配置された複数の画素と、前記複数の映像信号線の少なくとも１つの一端及び他端と絶縁層を挟んでそれぞれ交差した第１及び第２末端配線を各々が含んだ複数の配線対とを備えたアクティブマトリクス型の液晶表示パネルと、少なくとも部分的に前記液晶表示パネルの外側に配置されると共に各々が前記第１及び第２末端配線を互いに接続した複数の中間配線と、前記複数の映像信号線の前記第１末端配線側の端に接続された複数の映像信号線ドライバとを具備し、前記複数の配線対の各々において、１水平周期Ｔと、前記第２末端配線の平均幅Ｗと、前記第２末端配線の長さＬと、前記第２末端配線のシート抵抗Ｒ0と、前記第２末端配線の単位面積当りの配線容量Ｃ0と、前記映像信号線の抵抗ＲLと、前記映像信号線の配線容量ＣLと、前記映像信号線及びこれと前記映像信号線ドライバとを接続している配線のうち前記映像信号線ドライバから前記映像信号線と前記第１末端配線との交差部までの部分の抵抗と、前記第１末端配線のうち前記交差部から前記中間配線との接続部までの部分の抵抗と、前記中間配線の抵抗との和Ｒiとは、下記不等式に示す関係を満足していることを特徴とする液晶表示装置が提供される。
【数２】
2007047277.tif 000003
【発明の効果】
【０００８】
本発明によると、レスキュー配線を利用した映像信号線の修復に起因して輝度ムラが生じるのを防止可能となる。
【発明を実施するための最良の形態】
【０００９】
以下、本発明の態様について、図面を参照しながら詳細に説明する。なお、各図において、同様または類似した機能を発揮する構成要素には同一の参照符号を付し、重複する説明は省略する。
【００１０】
図１は、本発明の一態様に係る液晶表示装置を概略的に示す平面図である。図２は、図１の液晶表示装置が含む液晶表示パネルを概略的に示す平面図である。図３は、図２に示す液晶表示パネルのＩＩＩ−ＩＩＩ線に沿った断面図である。図４は、図２及び図３の液晶表示パネルが含む画素の等価回路図である。
【００１１】
図１及び図２において、一点鎖線Ｌ１は、表示領域とそれを取り囲む周辺領域との境界を示している。また、図１及び図２では、簡略化のため、一部の構成要素を省略している。
【００１２】
図１の液晶表示装置は、ＯＣＢ（optically compensated birefringence）モードの液晶表示装置である。この液晶表示装置は、アクティブマトリクス駆動方式の液晶表示パネルＤＰを含んでいる。
【００１３】
液晶表示パネルＤＰは、図３に示すように、アレイ基板ＡＳと、これと向き合った対向基板ＣＳとを含んでいる。アレイ基板ＡＳと対向基板ＣＳとの間には、枠状のシール層ＡＤが介在している。アレイ基板ＡＳと対向基板ＣＳとの間であって、シール層ＡＤが形成する枠の外側には、アレイ基板ＡＳと対向基板ＣＳとを電気的に接続する複数のトランスファ電極（図示せず）が配置されている。アレイ基板ＡＳと対向基板ＣＳとシール層ＡＤとに囲まれた空間は液晶材料ＬＣで満たされており、この液晶材料ＬＣは液晶層を形成している。アレイ基板ＡＳ及び対向基板ＣＳの各外面上には、光学補償フィルム（二軸性フィルム）ＯＣ及び偏光板ＰＬＺが順次配置されている。
【００１４】
アレイ基板ＡＳは、例えばガラス基板などの透明基板ＳＵＢ１を含んでいる。  
基板ＳＵＢ１上では、図１及び図２に示すように、それぞれＸ方向に延びた走査信号線ＳＬと補助容量線（図示せず）とが、Ｙ方向に交互に配列している。Ｘ方向及びＹ方向は、それぞれ基板ＳＵＢ１の主面に平行であって、互いに交差している。また、図３のＺ方向は、Ｘ方向及びＹ方向と直交する方向である。ここでは、一例として、Ｘ方向とＹ方向とは互いに直交していることとする。
【００１５】
走査信号線ＳＬ及び補助容量線は、例えば、金属又は合金からなる。走査信号線ＳＬの一部は、後述するスイッチＳＷのゲート電極Ｇとして利用する。
【００１６】
図３に示すように、基板ＳＵＢ１、走査信号線ＳＬ及び補助容量線は、ゲート絶縁膜ＧＩで被覆されている。ゲート絶縁膜ＧＩは、例えば、シリコン酸化物などの光透過性の絶縁体からなる。
【００１７】
ゲート絶縁膜ＧＩ上には、パターニングされた半導体層ＳＣが配置されている。これら半導体層ＳＣは、例えば、チャネル及びソース・ドレインが形成されたアモルファスシリコン層である。走査信号線ＳＬ及びゲート絶縁膜ＧＩの半導体層ＳＣと向き合った部分と半導体層ＳＣとは、スイッチＳＷである薄膜トランジスタを構成している。なお、ここでは、一例として、スイッチＳＷはｎチャネル薄膜トランジスタであることとする。
【００１８】
半導体層ＳＣ及びゲート絶縁膜ＧＩ上には、映像信号線ＶＬとドレイン電極ＤＥとが配置されている。映像信号線ＶＬは、各々がＹ方向に延びており、半導体層ＳＣが形成する列に対応してＸ方向に配列している。映像信号線ＶＬ及びドレイン電極ＤＥは、半導体層ＳＣのソース・ドレインにそれぞれ接続されている。映像信号線ＶＬ及びドレイン電極ＤＥは、例えば、金属又は合金からなる。
【００１９】
ゲート絶縁膜ＧＩ、スイッチＳＷ、映像信号線ＶＬ及びドレイン電極ＤＥは、絶縁膜Ｉ１で被覆されている。この例では、絶縁膜Ｉ１はカラーフィルタである。カラーフィルタＩ１は、図１に示す一点鎖線Ｌ１で囲まれた表示領域内に配置されている。カラーフィルタＩ１には、ドレイン電極ＤＥに対応した位置に貫通孔が設けられている。
【００２０】
ゲート絶縁膜ＧＩ上には、さらに、絶縁膜Ｉ２が配置されている。この例では、絶縁膜Ｉ２は周縁遮光層である。周縁遮光層Ｉ２は、周辺領域内に配置されており、カラーフィルタＩ１を取り囲んでいる。
【００２１】
カラーフィルタＩ１上では、画素電極ＰＥが、スイッチＳＷに対応して配列している。各画素電極ＰＥは、カラーフィルタＩ１に設けた貫通孔を埋め込んでおり、ドレイン電極ＤＥを介してスイッチＳＷのドレインに接続されている。画素電極ＰＥは、例えば、ＩＴＯ（indium tin oxide）などの透明導電体からなる。なお、カラーフィルタＩ１上には、必要に応じ、液晶材料ＬＣの配向状態をスプレイ配向からベンド配向へと転移させるのに利用する転移用電極をさらに配置する。また、画素電極ＰＥと図示しない補助容量線とは、ゲート絶縁膜及びカラーフィルタＩ１からなる誘電体層を介して向き合っており、図４に示すキャパシタＣを構成している。
【００２２】
画素電極ＰＥは、配向膜ＡＬ１で被覆されている。配向膜ＡＬ１の材料には、例えば、ポリイミドなどの樹脂を使用することができる。この配向膜ＡＬ１には、例えば、Ｙ方向にラビングなどの配向処理が施されている。
【００２３】
このアレイ基板ＡＳは、図１及び図２に示すように、第１末端配線ＲＬ１と、第２末端配線ＲＬ２と、配線ＲＬ３ａとをさらに含んでいる。配線ＲＬ１、ＲＬ２及びＲＬ３ａは、一点鎖線Ｌ１で囲まれた表示領域の外側，すなわち周辺領域，に配置されている。これら配線ＲＬ１、ＲＬ２及びＲＬ３ａは、後述するレスキュー配線ＲＬの一部として利用する。
【００２４】
末端配線ＲＬ１及びＲＬ２は、各々が１つの末端配線ＲＬ１と１つの末端配線ＲＬ２とからなる複数の配線対を構成している。各配線対の末端配線ＲＬ１及びＲＬ２は、映像信号線ＶＬの少なくとも１つの一端及び他端と絶縁層を挟んでそれぞれ交差している。この例では、各配線対の末端配線ＲＬ１及びＲＬ２は、３つ映像信号線ＶＬのそれぞれの一端及び他端と絶縁層を挟んでそれぞれ交差している。
【００２５】
各末端配線ＲＬ１は、Ｘ方向に略平行な部分と、その一端からＹ方向に略平行な方向に延びた部分とを含んでいる。末端配線ＲＬ１のうちＸ方向に略平行な部分は、映像信号線ＶＬと交差しており、典型的には、後述する対向電極ＣＥと少なくとも部分的に向き合っている。末端配線ＲＬ１のうちＹ方向に略平行な部分の一端は、ＯＬＢ（outer lead bonding）パッドに接続されている。末端配線ＲＬ１が接続されたＯＬＢパッドは、映像信号線ＶＬが接続されたＯＬＢパッドの近傍に配置されている。これらＯＬＢパッドは、アレイ基板ＡＳの対向基板ＣＳ側の主面上であってその一辺に沿って配置されており、液晶表示パネルＤＰの外側に露出している。
【００２６】
各末端配線ＲＬ２は、Ｙ方向に略平行な部分と、その両端から互いに逆向きに延びた、Ｘ方向に略平行な２つの部分とを含んでいる。Ｘ方向に略平行な２つの部分のうち、表示領域により近くに配置されたものは、映像信号線ＶＬと交差しており、典型的には、少なくとも部分的に対向電極ＣＥと向き合っている。Ｘ方向に略平行な２つの部分のうち、表示領域により遠くに配置されたものの一端は、ＯＬＢパッドに接続されている。末端配線ＲＬ２が接続されたＯＬＢパッドは、走査信号線ＳＬが接続されたＯＬＢパッドの近傍に配置されている。これらＯＬＢパッドは、アレイ基板ＡＳの対向基板ＣＳ側の主面上であってその一対の対辺に沿って配置されており、液晶表示パネルＤＰの外側に露出している。
【００２７】
配線ＲＬ３ａは、アレイ基板ＡＳの４つの角部のうち、末端配線ＲＬ１側の２つの角部に配置されている。各配線ＲＬ３ａの両端には、ＯＬＢパッドがそれぞれ接続されている。配線ＲＬ３ａが接続された２つのＯＬＢパッドは、アレイ基板ＡＳの４辺のうち、先の角部を形成している２つの辺の近傍にそれぞれ配置されている。これらＯＬＢパッドは、液晶表示パネルＤＰの外側に露出している。
【００２８】
なお、液晶表示パネルＤＰは、配線ＲＬ３ａを含んでいなくてもよい。すなわち、配線ＲＬ３ａは、液晶表示パネルＤＰの外部に配置されていてもよい。
【００２９】
配線ＲＬ１、ＲＬ２及びＲＬ３ａには、例えば、走査信号線ＳＬと同一の材料を使用してもよい。或いは、配線ＲＬ１、ＲＬ２及びＲＬ３ａの一部に走査信号線ＳＬと同一の材料を使用し、他の部分に映像信号線ＶＬと同一の材料を使用してもよい。或いは、配線ＲＬ１、ＲＬ２及びＲＬ３ａには、走査信号線ＳＬや映像信号線ＶＬとは異なる材料を使用してもよい。
【００３０】
配線ＲＬ１及びＲＬ２と映像信号線ＶＬとの間の絶縁層としては、例えば、ゲート絶縁膜ＧＩを使用してもよい。或いは、この絶縁層には、ゲート絶縁膜ＧＩとは異なる材料を使用してもよい。
【００３１】
対向基板ＣＳは、図３に示すように、例えばガラス基板などの透明基板ＳＵＢ２を含んでいる。基板ＳＵＢ２は、配向膜ＡＬ１と向き合うように配置されている。
【００３２】
基板ＳＵＢ２のアレイ基板ＡＳとの対向面には、対向電極ＣＥが配置されている。対向電極ＣＥは、例えば、ＩＴＯなどの透明導電体からなる。対向電極ＣＥは、典型的には共通電極である。
【００３３】
対向電極ＣＥは、配向膜ＡＬ２で被覆されている。配向膜ＡＬ２は、図示しないスペーサによって、配向膜ＡＬ１のうち画素電極ＰＥ上に位置した部分から離間している。配向膜ＡＬ２の材料には、例えば、ポリイミドなどの樹脂を使用することができる。この配向膜ＡＬ２には、例えば、ラビングなどの配向処理が配向膜ＡＬ１と同じ向きに施されている。
【００３４】
アレイ基板ＡＳと対向基板ＣＳとの間には、枠状のシール層ＡＤが介在している。シール層ＡＤの材料には、例えば、熱硬化性接着剤などの接着剤を使用する。
【００３５】
アレイ基板ＡＳと対向基板ＣＳとの間であって、シール層ＡＤが形成している枠の内側には、図示しない粒状スペーサが介在している。或いは、アレイ基板ＡＳ及び対向基板ＣＳの少なくとも一方の対向面には、柱状スペーサが形成されている。これらスペーサは、アレイ基板ＡＳと対向基板ＣＳとシール層ＡＤとで囲まれた空間の厚さを一定に保つ役割を果たしている。
【００３６】
液晶材料ＬＣは、この例では、誘電率異方性及び屈折率異方性が正の液晶材料である。この液晶材料ＬＣは、画像を表示している間、ベンド配向を形成する。明表示と暗表示との切り替えは、画素電極ＰＥと対向電極ＣＥとの間に印加する電圧の絶対値を、典型的にはゼロよりも大きな第１値と、第１値よりも大きな第２値との間で切り替えることにより行う。以下、印加電圧の絶対値を第１値としている状態をＯＦＦ状態と呼び、印加電圧の絶対値を第２値としている状態をＯＮ状態と呼ぶ。
【００３７】
対向電極ＣＥの画素電極ＰＥと向き合った部分と、画素電極ＰＥと、それらの間に介在した液晶層ＬＣ並びに配向膜ＡＬ１及びＡＬ２とは、図３に示す液晶素子ＬＣＥを構成している。スイッチＳＷと液晶素子ＬＣＥとは、映像信号線ＶＬとノードＮＤとの間で、この順に直列に接続されている。なお、ノードＮＤは、対向電極ＣＥに接続された電源端子又は接地端子である。また、スイッチＳＷと液晶素子ＬＣＥとキャパシタＣとは、画素回路又は画素ＰＸを構成している。
【００３８】
光学補償フィルムＯＣは、例えば、二軸性フィルムである。光学補償フィルムＯＣは、例えば、屈折率異方性が負の一軸性化合物，例えばディスコティック液晶化合物，をハイブリッド配向させた光学異方性層を含んでいる。
【００３９】
基板ＳＵＢ１上の光学補償フィルムＯＣが含む一軸性化合物の光学軸は、例えば、基板ＳＵＢ１側では、アレイ基板ＡＳの近傍に位置した液晶分子のＯＮ状態における光学軸と略平行であり、その反対側では、アレイ基板ＡＳと対向基板ＣＳとの中間に位置した液晶分子のＯＮ状態における光学軸と略平行である。また、基板ＳＵＢ２上の光学補償フィルムＯＣが含む一軸性化合物の光学軸は、例えば、基板ＳＵＢ２側では、対向基板ＣＳの近傍に位置した液晶分子のＯＮ状態における光学軸と略平行であり、その反対側では、アレイ基板ＡＳと対向基板ＣＳとの中間に位置した液晶分子のＯＮ状態における光学軸と略平行である。これら光学補償フィルムＯＣのリタデーションの和は、例えば、液晶層ＬＣのＯＮ状態におけるリタデーションとほぼ等しくする。
【００４０】
偏光板ＰＬＺは、例えば、それらの透過軸が互いに略直交するように配置する。また、各偏光板ＰＬＺは、例えば、その透過軸がＸ方向及びＹ方向に対して約４５°の角度を為すように配置する。
【００４１】
この液晶表示パネルＤＰには、テープキャリアパッケージＴＣＰ１及びフレキシブルプリント回路基板ＦＰＣ３を介して、プリント回路基板ＰＣＢ１が接続されている。さらに、この液晶表示パネルＤＰには、テープキャリアパッケージＴＣＰ２並びにフレキシブルプリント回路基板ＦＰＣ４及びＦＰＣ５を介して、プリント回路基板ＰＣＢ２が接続されている。
【００４２】
各テープキャリアパッケージＴＣＰ１は、フレキシブルプリント回路基板ＦＰＣ１と、これに搭載された映像信号線ドライバＸＤＲとを含んでいる。フレキシブルプリント回路基板ＦＰＣ１の一端はアレイ基板ＡＳに取り付けられており、他端はプリント回路基板ＰＣＢ１に取り付けられている。フレキシブルプリント回路基板ＦＰＣ１は、映像信号線ＶＬを映像信号線ドライバＸＤＲに接続する配線と、映像信号線ドライバＸＤＲをプリント回路基板ＰＣＢ１の回路に接続する配線とを含んでいる。さらに、フレキシブルプリント回路基板ＦＰＣ１は、末端配線ＲＬ１を後述するプリント回路基板ＰＣＢ１の配線ＲＬ３ｂに接続する配線を含んでいる。
【００４３】
フレキシブルプリント回路基板ＦＰＣ３の一端はアレイ基板ＡＳに取り付けられており、他端はプリント回路基板ＰＣＢ１に取り付けられている。フレキシブルプリント回路基板ＦＰＣ３は、配線ＲＬ３ａをプリント回路基板ＰＣＢ１の配線ＲＬ３ｂに接続する配線を含んでいる。
【００４４】
プリント回路基板ＰＣＢ１は、映像信号線ドライバＸＤＲの動作制御などを行う回路と配線ＲＬ３ｂとを含んでいる。各配線ＲＬ３ｂの一端は、フレキシブルプリント回路基板ＦＰＣ１を介して末端配線ＲＬ１に接続されている。各配線ＲＬ３ｂの他端は、フレキシブルプリント回路基板ＦＰＣ３を介して配線ＲＬ３ａに接続されている。
【００４５】
各テープキャリアパッケージＴＣＰ２は、フレキシブルプリント回路基板ＦＰＣ２と、これに搭載された走査信号線ドライバＹＤＲとを含んでいる。フレキシブルプリント回路基板ＦＰＣ２の一端はアレイ基板ＡＳに取り付けられており、他端はプリント回路基板ＰＣＢ２に取り付けられている。フレキシブルプリント回路基板ＦＰＣ２は、走査信号線ＳＬを走査信号線ドライバＹＤＲに接続する配線と、走査信号線ドライバＹＤＲをプリント回路基板ＰＣＢ２の回路に接続する配線とを含んでいる。
【００４６】
フレキシブルプリント回路基板ＦＰＣ４の一端はアレイ基板ＡＳに取り付けられており、他端はプリント回路基板ＰＣＢ２に取り付けられている。フレキシブルプリント回路基板ＦＰＣ４は、配線ＲＬ３ａを後述するプリント回路基板ＰＣＢ２の配線ＲＬ３ｃに接続する配線を含んでいる。
【００４７】
フレキシブルプリント回路基板ＦＰＣ５の一端はアレイ基板ＡＳに取り付けられており、他端はプリント回路基板ＰＣＢ２に取り付けられている。フレキシブルプリント回路基板ＦＰＣ５は、末端配線ＲＬ２をプリント回路基板ＰＣＢ２の配線ＲＬ３ｃに接続する配線を含んでいる。
【００４８】
プリント回路基板ＰＣＢ２は、走査信号線ドライバＹＤＲの動作制御などを行う回路と配線ＲＬ３ｃとを含んでいる。各配線ＲＬ３ｃの一端は、フレキシブルプリント回路基板ＦＰＣ４を介して配線ＲＬ３ａに接続されている。各配線ＲＬ３ｃの他端は、フレキシブルプリント回路基板ＦＰＣ５を介して末端配線ＲＬ２に接続されている。
【００４９】
なお、互いに接続された配線ＲＬ３ａ乃至ＲＬ３ｃ及びフレキシブルプリント基板ＦＰＣ１乃至ＦＰＣ５の配線は、中間配線ＲＬ３を構成している。各中間配線ＲＬ３は、配線対が含む末端配線ＲＬ１及びＲＬ２を互いに接続している。また、配線対が含む末端配線ＲＬ１及びＲＬ２と、これらに接続された中間配線ＲＬ３とは、レスキュー配線ＲＬを構成している。
【００５０】
この液晶表示装置は、さらに、図示しないバックライトユニットを含んでいる。バックライトユニットは、液晶表示パネルＤＰの背面を照明するように配置されている。
【００５１】
次に、レスキュー配線ＲＬを利用した映像信号線ＶＬの修復について説明する。  
図５及び図６は、レスキュー配線を利用した信号線の修復方法の一例を概略的に示す平面図である。なお、図５及び図６では、簡略化のため、一部の構成要素を省略している。
【００５２】
図５に示すように、破線Ｌ２で囲んだ位置で映像信号線ＶＬが断線している場合、この映像信号線ＶＬに接続された画素ＰＸの一部には、映像信号を書き込むことができない。そのため、これを修復せずに画像を表示したとすると、例えば、ノーマリホワイト方式を採用している場合には、表示画像に断線箇所を起点とした輝線が生じる。
【００５３】
断線が見つかった場合には、断線した映像信号線ＶＬと末端配線ＲＬ１との交差部と、断線した映像信号線ＶＬと末端配線ＲＬ２との交差部とに、レーザビームを照射する。これにより、各交差部において、映像信号線ＶＬ及び／又はレスキュー配線ＲＬを溶融させると共に、それらの間に介在した絶縁層を開口させる。
【００５４】
このようにして、図６に示すように、先の映像信号線ＶＬの両端を末端配線ＲＬ１及びＲＬ２とそれぞれ電気的に接続する。すなわち、映像信号線ＶＬのうち断線によって映像信号線ドライバＸＤＲから電気的に絶縁された部分を、レスキュー配線ＲＬを介して映像信号線ドライバＸＤＲに接続する。これにより、断線している映像信号線ＶＬに接続された全ての画素ＰＸに映像信号を書き込むことが可能となる。
【００５５】
なお、映像信号線ＶＬの断線は、例えば、アレイ基板ＡＳの製造過程において、映像信号線ＶＬの一部が剥離することにより生じる。また、映像信号線ＶＬの断線は、例えば、映像信号線ＶＬと走査信号線ＳＬ又は補助容量線とがそれらの交差部で短絡した場合、それらを電気的に絶縁すべく、レーザビーム照射によって、短絡部を挟んだ２箇所で映像信号線ＶＬを切断した場合にも生じる。
【００５６】
さて、先に説明した修復を行った液晶表示パネルＤＰでは、表示画像に輝線などの輝度ムラは生じない筈である。しかしながら、上記の通り、断線した映像信号線ＶＬをレスキュー配線ＲＬを利用して修復すると、修復した映像信号線ＶＬに対応した位置に輝度ムラを生じる可能性がある。
【００５７】
本発明者らは、この輝度ムラの要因について様々な可能性を検討した。その結果、この輝度ムラは、レスキュー配線ＲＬの配線容量や抵抗が大きいことに起因していることを見い出した。
【００５８】
すなわち、レスキュー配線ＲＬの配線容量や抵抗が大きいと、断線した映像信号線ＶＬのうち末端配線ＲＬ２と交差した部分の時定数が大きくなる。そのため、この部分に接続された画素ＰＸへの映像信号の書き込みを各選択期間内に完了することができず、先の画素ＰＸが含む画素電極ＰＥへの充電が不十分となる可能性があった。その結果、修復した映像信号線ＶＬに対応した位置に輝度ムラを生じることがあったのである。
【００５９】
本発明者らは、修復した映像信号線の時定数について解析を行った。これについて、図７を参照しながら説明する。
【００６０】
図７は、図１の液晶表示装置の一部を示す等価回路図である。図７には、末端配線ＲＬ１の極近傍で断線した映像信号線ＶＬを修復した場合における、修復後の映像信号線ＶＬの電気経路を示している。ここでは、簡略化のため、映像信号線ドライバＸＤＲの出力抵抗を無視すると共に、末端配線ＲＬ２及び映像信号線ＶＬをＴ型ＲＣ回路として表示している。
【００６１】
図７において、ＲLは、修復した映像信号線ＶＬのうち、末端配線ＲＬ２との接続箇所から断線箇所までの部分の抵抗を表している。ＣLは、修復した映像信号線ＶＬのうち、末端配線ＲＬ２側の端から断線箇所までの部分の寄生容量を表している。ここでは、簡略化のため、抵抗ＲL及び寄生容量ＲLは、それぞれ、映像信号線の抵抗及び配線容量と等しいこととする。Ｒiは、フレキシブルプリント回路基板ＦＰＣ１が含む配線（修復した映像信号線ＶＬと映像信号線ドライバＸＤＲとを接続している配線）の抵抗と、修復した映像信号線ＶＬのうち映像信号線ドライバＸＤＲ側の端から末端配線ＲＬ１との接続箇所までの部分の抵抗と、末端配線ＲＬ１のうち映像信号線ＶＬとの接続箇所から中間配線ＲＬ３との接続箇所までの部分の抵抗と、この末端配線ＲＬ１と接続された中間配線ＲＬ３の抵抗との和を表している。Ｒ及びＣは、末端配線ＲＬ２の抵抗及び配線容量をそれぞれ表している。
【００６２】
走査信号線ドライバＸＤＲの出力電位をＶ0、末端配線ＲＬ２の中間点における電位をＶ1、この末端配線ＲＬ２と接続された映像信号線ＶＬ上であって末端配線ＲＬ１との交差部と末端配線ＲＬ２との交差部との中間点における電位をＶ2とする（図７の回路は右端の抵抗の端で開いているので、この開いた端の電位もＶ2であると考えてよい）。この回路モデルでは、電位Ｖ1及びＶ2の時間変化は、以下の微分方程式（１）及び（２）に従う。
【数３】
2007047277.tif 000004
【００６３】
但し、式（１）及び（２）において、τ1、τ12、τ2は、以下の等式（３）乃至（５）で表される時定数である。
【数４】
2007047277.tif 000005
【００６４】
初期状態における電位Ｖ0、Ｖ1、Ｖ2は、互いに等しいこととする。ここでは、簡略化のため、初期状態における電位Ｖ0、Ｖ1、Ｖ2を１に規格化する。そして、時間ｔがゼロであるときに、電圧Ｖ0がステップ的にゼロへと変化したとして、電位Ｖ1及びＶ2の時間ｔに応じた変化を求める。
【００６５】
抵抗ＲLは、抵抗Ｒi及びＲと比較して十分に大きい。したがって、時定数τ1、τ12、τ2は、以下の不等式（６）及び（７）に示す関係を満足している。
【数５】
2007047277.tif 000006
【００６６】
不等式（６）に示すように時定数τ12が時定数τ1と比較して十分に大きい場合、等式（１）の右辺において、第２項の絶対値は、第１項の絶対値と比較して十分に小さい。そのため、等式（１）の右辺の第２項は無視することができる。等式（１）を、右辺の第２項を無視して解くと、以下の等式（８）が得られる。
【数６】
2007047277.tif 000007
【００６７】
また、等式（２）を、電位Ｖ1に等式（８）の右辺を代入して解くと、以下の等式（９）が得られる。
【数７】
2007047277.tif 000008
【００６８】
不等式（７）に示すように時定数τ2が時定数τ1と比較して十分に大きい場合、時間ｔが増加すると、等式（９）では、ｅｘｐ（−ｔ／τ1）の項はゼロに収束し、ｅｘｐ（−ｔ／τ2）の項のみが残る。したがって、等式（９）は、以下の等式（１０）に近似することができる。
【数８】
2007047277.tif 000009
【００６９】
また、不等式（７）に示すように、時定数τ1は時定数τ2と比較して十分に小さい。したがって、等式（１０）は、以下の等式（１１）に近似することができる。
【数９】
2007047277.tif 000010
【００７０】
ここで、１水平周期（或いは、各走査信号線ＳＬにスイッチＳＷを閉じる走査信号を供給している時間）をＴとする。また、走査信号線ＳＬにスイッチＳＷを閉じる走査信号を供給している期間内に、電位Ｖ2が初期値（＝１）のｅｘｐ（−α）倍に変化するとし、値αを図７の回路における充電指数として定義する。値αが大きいほど、充電の電圧誤差が小さく、輝度ムラは発生し難い。
【００７１】
等式（１１）において、時間ｔに１水平周期Ｔを代入すると共に電位Ｖ2に電位１×ｅｘｐ（−α）を代入すると、以下の等式（１２）が得られる。
【数１０】
2007047277.tif 000011
【００７２】
さらに、ｌｎ（１＋τ1／τ2）をτ1／τ2で近似すると、等式（１２）は以下の等式（１３）へと簡略化することができる。
【数１１】
2007047277.tif 000012
【００７３】
等式（１３）において、時定数τ2に等式（５）の右辺を代入する。さらに、抵抗Ｒは抵抗ＲLと比較して十分に小さいことを考慮して近似を行う。こうすると、以下の等式（１４）が得られる。
【数１２】
2007047277.tif 000013
【００７４】
ところで、１水平周期Ｔは、駆動条件に応じて定められる。例えば、画素数が多い場合には、１水平周期Ｔを短くすることがある。また、倍速書き込みを行う場合、例えば、ＯＣＢモードの液晶表示装置などで一般的な黒挿入駆動（１フレーム期間内に、映像信号を書き込むための走査と黒挿入信号を書き込むための走査とを順次行う駆動方法）を行う場合にも、１水平周期Ｔを短くすることがある。
【００７５】
等式（１４）によると、１水平周期Ｔが短いほど、充電指数αは小さくなる。すなわち、上記の輝度ムラが生じ易くなる。しかしながら、等式（１４）から分かるように、１水平周期Ｔが短い場合であっても、時定数τ1を小さくすることにより、充電指数αを十分に大きくすることができる。
【００７６】
次に、本発明者らが行った試験について説明する。
【００７７】
図８は、試験に用いた液晶表示装置を概略的に示す平面図である。なお、図８では、簡略化のため、一部の構成要素を省略している。
【００７８】
図８の液晶表示装置は、以下の点を除き、図１などを参照しながら説明した液晶表示装置と同様の構造を有している。すなわち、この液晶表示装置は、映像信号線ドライバＸＤＲ（図８では省略している）を１０個含んでいる。そして、映像信号線ドライバＸＤＲに対応して、１０本のレスキュー配線ＲＬを敷設している。
【００７９】
この試験では、レスキュー配線ＲＬの構造及び電気的性質が互いに異なる２つの液晶表示装置を作製した。以下、これら液晶表示装置を、それぞれ、「液晶表示装置Ａ」及び「液晶表示装置Ｂ」と呼ぶ。
【００８０】
液晶表示装置Ａ及びＢは、何れも、表示領域の対角寸法が２３インチであり、解像度はＷＸＧＡ相当（画素数＝１２８０×７６８）である。また、各液晶表示装置は、その中心を通り且つＸ方向に垂直な平面に対して対称な構造を有している。
【００８１】
ここでは、各映像信号線ＸＤＲ毎に１本づつ映像信号線ＶＬを断線させ、これら断線した映像信号線ＶＬを図５及び図６を参照しながら説明した方法により修復した。そして、１水平周期を１２マイクロ秒に設定し、表示領域の左半分についてのみ輝線発生の有無を調べた。以下の表１及び表２に、液晶表示装置Ａ及びＢについての評価結果をそれぞれ纏める。
【表１】
2007047277.tif 000014
【００８２】
【表２】
2007047277.tif 000015
【００８３】
表１及び表２において、「ブロック」は、或るレスキュー配線ＲＬと、これと交差した映像信号線ＶＬと、これら映像信号線ＶＬに接続された画素ＰＸとからなる集合を意味している。そして、「ブロック」の行に記載した数字は、図８において左側に配置された５つのブロックに対し、左端から右側に向けて順次配列した５つの末端配線ＲＬ１に対応して割り当てた数字である。すなわち、図８において、「ブロック１」は最も左側に位置した末端配線ＲＬ１を含んだブロックであり、「ブロック５」は左側から数えて５番目に位置した末端配線ＲＬ１を含んだブロックである。
【００８４】
また、表１及び表２において、「長さＬ」及び「平均幅Ｗ」は、それぞれ、末端配線ＲＬ２の長さ及び平均幅を示している。「シート抵抗Ｒ0」及び「単位面積容量Ｃ0」は、それぞれ、末端配線ＲＬ２のシート抵抗及び単位面積当りの配線容量を示している。なお、抵抗Ｒと長さＬと平均幅Ｗとシート抵抗Ｒ0とは以下の等式（１５）に示す関係を満足し、配線容量Ｃと単位面積容量Ｃ0と長さＬと平均幅Ｗとは以下の等式（１６）に示す関係を満足している。
【数１３】
2007047277.tif 000016
【００８５】
さらに、表１及び表２において、「評価」の行に記載した記号「○」は、修復した映像信号線ＶＬの位置で輝線が発生しなかったことを示している。また、記号「×」は、修復した映像信号線ＶＬに沿って輝線が発生したことを示している。なお、表１及び表２の「限界配線幅」については、後で説明する。
【００８６】
表１に示すように、液晶表示装置Ａでは、修復した映像信号線ＶＬに沿った輝線は、表示画像のブロック１乃至４に対応した領域では発生せず、表示画像のブロック５に対応した領域でのみ発生した。また、表２に示すように、液晶表示装置Ｂでは、表示画像のブロック１乃至４に対応した全ての領域で、修復した映像信号線ＶＬに沿った輝線は発生しなかった。このことから、充電指数αが以下の不等式（１７）に示す関係を満足するように液晶表示装置を設計すれば、先の輝線が発生するのを防止できることが分かる。
【数１４】
2007047277.tif 000017
【００８７】
ここで、不等式（１７）の充電指数αに等式（１４）の右辺を代入すると、以下の不等式（１８）が得られる。この不等式（１８）の時定数τ1に等式（３）の右辺を代入すると、以下の不等式（１９）が得られる。さらに、この不等式（１９）の配線容量Ｃ及び抵抗Ｒに等式（１６）の右辺及び等式（１５）の右辺をそれぞれ代入すると、以下の不等式（２０）が得られる。
【数１５】
2007047277.tif 000018
【００８８】
以上から明らかなように、不等式（２０）に示す関係を満足するように液晶表示装置を設計すれば、先の輝線が発生するのを防止できる。なお、表１及び表２の「限界配線幅」は、不等式（２０）の右辺を意味している。
【００８９】
本態様では、第１末端配線ＲＬ１と第２末端配線ＲＬ２とに、以下の構造を採用してもよい。
【００９０】
図９は、第１末端配線に採用可能な構造の一例を概略的に示す平面図である。図１０は、第２末端配線に採用可能な構造の一例を概略的に示す平面図である。
【００９１】
図９及び図１０には、それぞれ、末端配線ＲＬ１のうち映像信号線ＶＬと交差し且つＸ方向に略平行な部分と、末端配線ＲＬ２のうち映像信号線ＶＬと交差し且つＸ方向に略平行な部分とを描いている。末端配線ＲＬ１の図９に描いた部分の平均幅Ｗ1は、末端配線ＲＬ２の図１０に描いた部分の平均幅Ｗ2と比較してより広い。このような構造は、充電指数αをより大きくするうえで有利である。
【００９２】
なお、図９の末端配線ＲＬ１は、映像信号線ＶＬとの交差部の幅が、他の部分の幅と比較してより狭い。このような構造を採用した場合、末端配線ＲＬ１の映像信号線ＶＬとの交差部における幅が他の部分と同様に広い場合と比較して、レーザビーム照射による末端配線ＲＬ１と映像信号線ＶＬとの接続が容易である。
【００９３】
平均幅Ｗ1及びＷ2をパラメータとして用いて、レスキュー配線ＲＬを利用して修復した映像信号線ＶＬの充電時定数４τを計算した。その結果を図１１に示す。
【００９４】
図１１は、レスキュー配線を利用して修復した映像信号線の充電時定数を示すグラフである。図１１では、横軸及び縦軸をそれぞれ平均幅Ｗ1及びＷ2として、充電時定数４τを等高線で示している。なお、点Ｍは充電時定数４τの極小値を示している。また、図１１には、等高線を充電時定数４τの０．０２マイクロ秒の増分に対して１本の割合で描いており、等高線に付した数字は充電時定数４τ（単位：マイクロ秒）を表している。
【００９５】
図１１の例では、平均幅Ｗ1が約３２μｍであり、平均幅Ｗ2が約１６μｍである場合に、充電時定数４τは極小（＝１１．７０マイクロ秒）となっている。このことからも、図９及び図１０を参照しながら説明した構造が有用であることが分かる。
【００９６】
以下、平均幅Ｗ1が平均幅Ｗ2と比較してより広い場合に充電時定数４τが小さい理由を考察する。
【００９７】
まず、末端配線ＲＬ１の充電指数αへの寄与について考える。ここでは、図７のモデルにおいて、ＲL及びＣLを、それぞれ、中間配線ＲＬ３と末端配線ＲＬ２と映像信号線ＶＬとの抵抗の和及び寄生容量の和と定義する。また、Ｒiをフレキシブルプリント回路基板ＦＰＣ１が含む配線（修復した映像信号線ＶＬと映像信号線ドライバＸＤＲとを接続している配線）の抵抗と定義し、Ｒ及びＣを、それぞれ、末端配線ＲＬ１の抵抗及び寄生容量と定義する。
【００９８】
このような定義のもとでは、抵抗Ｒiは非常に小さい。したがって、等式（３）は、以下の等式（２１）のように簡略化することができる。さらに、この等式（２１）の抵抗Ｒ及び容量Ｃに等式（１５）の右辺及び等式（１６）の右辺をそれぞれ代入すると、以下の等式（２２）が得られる。
【数１６】
2007047277.tif 000019
【００９９】
等式（２２）から分かるように、時定数τ1は、平均幅Ｗ1に依存しない。また、等式（５）の右辺において平均幅Ｗ1に依存するのは抵抗Ｒのみであり、抵抗Ｒが小さくなると、時定数τ2も小さくなる。したがって、等式（１３）から分かるように、平均幅Ｗ1を大きくすることにより、充電指数αを大きくすることができる。
【０１００】
次に、末端配線ＲＬ２の充電指数αへの寄与について考える。ここでは、図７のモデルにおいて、ＲL及びＣLを、それぞれ、映像信号線ＶＬの抵抗及び配線容量と定義する。また、Ｒiを、フレキシブルプリント回路基板ＦＰＣ１が含む配線（修復した映像信号線ＶＬと映像信号線ドライバＸＤＲとを接続している配線）の抵抗と、修復した映像信号線ＶＬのうち映像信号線ドライバＸＤＲ側の端から末端配線ＲＬ１との接続箇所までの部分の抵抗と、末端配線ＲＬ１のうち映像信号線ＶＬとの接続箇所から中間配線ＲＬ３との接続箇所までの部分の抵抗と、この末端配線ＲＬ１と接続された中間配線ＲＬ３の抵抗との和と定義する。さらに、Ｒ及びＣを、それぞれ、末端配線ＲＬ２の抵抗及び配線容量と定義する。
【０１０１】
このような定義のもとでは、抵抗Ｒiは非常に大きい。したがって、等式（３）は、以下の等式（２３）のように簡略化することができる。
【数１７】
2007047277.tif 000020
【０１０２】
等式（２３）から分かるように、平均幅Ｗ1が小さくなると、容量Ｃが小さくなるため、時定数τ1は小さくなる。また、等式（５）から分かるように、平均幅Ｗ1が小さくなると、抵抗Ｒが大きくなるため、時定数τ2は大きくなる。すなわち、平均幅Ｗ1を小さくした場合、等式（１３）において、時定数τ1は充電指数αを大きくするように寄与し、時定数τ2は充電指数αを小さくするように寄与する。
【０１０３】
但し、抵抗Ｒiが非常に大きい場合、時定数τ1の充電指数αへの寄与は、時定数τ2の充電指数αへの寄与と比較して遥かに大きい。したがって、平均幅Ｗ1を小さくすることにより、充電指数αを大きくすることができる。
【０１０４】
以上、末端配線ＲＬ１の平均幅Ｗ1と末端配線ＲＬ２の平均幅Ｗ2とを互いに異ならしめることを説明したが、末端配線ＲＬ１と末端配線ＲＬ２とでシート抵抗を互いに異ならしめてもよい。例えば、配線に多層構造を採用すると、単層構造を採用した場合と比較して、シート抵抗がより小さくなる。
【図面の簡単な説明】
【０１０５】
【図１】本発明の一態様に係る液晶表示装置を概略的に示す平面図。
【図２】図１の液晶表示装置が含む液晶表示パネルを概略的に示す平面図。
【図３】図２に示す液晶表示パネルのＩＩＩ−ＩＩＩ線に沿った断面図。
【図４】図２及び図３の液晶表示パネルが含む画素の等価回路図。
【図５】レスキュー配線を利用した信号線の修復方法の一例を概略的に示す平面図。
【図６】レスキュー配線を利用した信号線の修復方法の一例を概略的に示す平面図。
【図７】図１の液晶表示装置の一部を示す等価回路図。
【図８】試験に用いた液晶表示装置を概略的に示す平面図。
【図９】第１末端配線に採用可能な構造の一例を概略的に示す平面図。
【図１０】第２末端配線に採用可能な構造の一例を概略的に示す平面図。
【図１１】レスキュー配線を利用して修復した映像信号線の充電時定数を示すグラフ。
【符号の説明】
【０１０６】
ＡＤ…シール層、ＡＬ１…配向膜、ＡＬ２…配向膜、ＡＳ…アレイ基板、Ｃ…キャパシタ、ＣＥ…対向電極、ＣＳ…対向基板、ＤＥ…ドレイン電極、ＤＰ…液晶表示パネル、ＦＰＣ１…フレキシブルプリント回路基板、ＦＰＣ２…フレキシブルプリント回路基板、ＦＰＣ３…フレキシブルプリント回路基板、ＦＰＣ４…フレキシブルプリント回路基板、ＦＰＣ５…フレキシブルプリント回路基板、Ｇ…ゲート電極、ＧＩ…ゲート絶縁膜、Ｉ１…カラーフィルタ、Ｉ２…周縁遮光層、Ｌ１…表示領域と周辺領域との境界、Ｌ２…断線位置、ＬＣ…液晶材料、ＬＣＥ…液晶素子、ＮＤ…ノード、ＯＣ…光学補償フィルム、ＰＣＢ１…プリント回路基板、ＰＣＢ２…プリント回路基板、ＰＥ…画素電極、ＰＬＺ…偏光板、ＰＸ…画素回路又は画素、ＲＬ…レスキュー配線、ＲＬ１…末端配線、ＲＬ２…末端配線、ＲＬ３…中間配線、ＲＬ３ａ…配線、ＲＬ３ｂ…配線、ＲＬ３ｃ…配線、ＳＬ…走査信号線、ＳＵＢ１…透明基板、ＳＵＢ２…透明基板、ＳＷ…スイッチ、ＳＣ…半導体層、ＴＣＰ１…テープキャリアパッケージ、ＴＣＰ２…テープキャリアパッケージ、ＶＬ…映像信号線、ＸＤＲ…映像信号線ドライバ、ＹＤＲ…走査信号線ドライバ。
【図１】
2007047277.tif 000023
【図２】
2007047277.tif 000024
【図３】
2007047277.tif 000025
【図４】
2007047277.tif 000026
【図５】
2007047277.tif 000027
【図６】
2007047277.tif 000028
【図７】
2007047277.tif 000029
【図８】
2007047277.tif 000030
【図９】
2007047277.tif 000031
【図１０】
2007047277.tif 000032
【図１１】
2007047277.tif 000033